(57)【要約】【課題】受金の部品を追加することなく、ランプの口金径の差異に対応したソケットを実現する。【解決手段】絶縁物からなる外郭１と、この外郭１の内部に配置された略筒状のねじ部２と中心接触片３からなる受金４とを有し、ねじ込み式ランプの口金をねじ部２および中心接触片３に接触させて、ランプを受金４に保持、通電するソケットであって、ランプの口金径に応じてねじ部２が弾性変形可能である。これにより、受金４の部品を追加することなく、ランプ口金寸法の微小な差異に対応したソケットを得ることができる。また、ねじ部２はランプ口金に対し弾性により圧着されるため、安定した電気接続が可能である。また、ねじ部２は周方向に少なくとも１箇所不連続であり、径方向に弾性変形可能であるので、ねじ部２がその弾性によりランプ口金に対して常に径方向の力を加えることができる。【選択図】　　　　図１
2004139918.tif 000002
【特許請求の範囲】
【請求項１】
絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記ランプの口金径に応じて前記ねじ部が弾性変形可能であることを特徴とするソケット。
【請求項２】
ねじ部は周方向に少なくとも１箇所不連続であり、径方向に弾性変形可能である請求項１記載のソケット。
【請求項３】
ねじ部は、外郭に固定された弾性体によって径方向に力を受けている請求項２記載のソケット。
【請求項４】
絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記受金は、前記ねじ部の内側に、別のねじ部として機能するコイルスプリングを有することを特徴とする請求項１記載のソケット。
【請求項５】
絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記受金は、径の異なる２種以上のねじ部を有し、径が小さいねじ部ほど内側に配置するとともに、最大径のねじ部より径が小さい各ねじ部は同一軸方向に出没可能であることを特徴とするソケット。
【請求項６】
最大径のねじ部より径が小さい各ねじ部は、弾性体を介して外郭に固定されている請求項５記載のソケット。
【請求項７】
絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記受金のねじ部は、前記外郭の開口端部側が最大径であり、前記中心接触片側に向かって径が小さくなることを特徴とするソケット。
【発明の詳細な説明】
【０００１】
【発明の属する技術分野】
この発明は、ねじ込みソケットに関するものである。
【０００２】
【従来の技術】
ねじ込みソケットの受金には、径の違いにより複数の種類が存在する。従来のねじ込みソケットには１種類の受金が付いており、これと同径の口金を有するランプを装着していた。
【０００３】
また、ねじ込みソケットの受金は、周側壁がランプ装着方向に沿って縦に分割されているものもある（例えば、特許文献１参照）。この場合、受金の側壁外面にはランプ装着開口端寄りに、弾性リングがはめられていて、ランプ非装着状態では受金の径が小さくなって小径部を形成し、ランプが装着されるとランプの口金により受金が弾性リング等に抗して開き、受金がランプの口金を弾性的に保持する。
【０００４】
【特許文献１】
特開平４−３５７６８７号公報（段落００２５〜００２７、図１２、図１８）
【０００５】
【発明が解決しようとする課題】
しかしながら、例えば、商用電源から電力を供給して点灯するランプには、白熱灯、電球形蛍光灯があり、それぞれＥ１７口金のものとＥ２６口金のものとが存在する。これらのランプはそれぞれ同径のソケットを有する照明器具にしか使用できなかった。異なる受金径のソケットに装着するためには、受金径のサイズを変換する部品を追加する必要があった。
【０００６】
なお、特許文献１では、ランプ非装着状態と装置着状態で受金の径が変化するが、これはランプの緩み止めを図ったものであり、ランプの口金径が異なる場合には対応できない。
【０００７】
さらに近年、複数の負荷に対応したマルチバラストが増加している。また海外とは径の種類が異なる。これらへの対応のため、複数の口金径に対応したソケットの需要が予測される。
【０００８】
したがって、この発明の目的は、受金の部品を追加することなく、ランプの口金径の差異に対応できるソケットを提供することである。
【０００９】
【課題を解決するための手段】
上記課題を解決するためにこの発明の請求項１記載のソケットは、絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記ランプの口金径に応じて前記ねじ部が弾性変形可能である。
【００１０】
このように、ランプの口金径に応じてねじ部が弾性変形可能であるので、受金の部品を追加することなく、ランプ口金寸法の微小な差異に対応したソケットを得ることができる。また、ねじ部はランプ口金に対し弾性により圧着されるため、安定した電気接続が可能である。
【００１１】
請求項２記載のソケットは、請求項１記載のソケットにおいて、ねじ部は周方向に少なくとも１箇所不連続であり、径方向に弾性変形可能である。このように、ねじ部は周方向に少なくとも１箇所不連続であり、径方向に弾性変形可能であるので、ねじ部がそれ自体の弾性によりランプ口金に対して常に径方向の力を加えることができ、請求項１の作用効果を容易に得ることができる。
【００１２】
請求項３記載のソケットは、請求項２記載のソケットにおいて、ねじ部は、外郭に固定された弾性体によって径方向に力を受けている。このように、ねじ部は、外郭に固定された弾性体によって径方向に力を受けているので、ねじ部が弾性体の弾性によりランプ口金に対して常に径方向の力を加えることができ、請求項１の作用効果を容易に得ることができる。さらに、弾性体によりねじ部の変形量を大きくできるので、異なる口金径のランプに対応したソケットを得ることができる。
【００１３】
請求項４記載のソケットは、絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記受金は、前記ねじ部の内側に、別のねじ部として機能するコイルスプリングを有する。
【００１４】
このように、受金は、ねじ部の内側に、別のねじ部として機能するコイルスプリングを有するので、ランプ口金の径が小さいときはコイルスプリングを用いることで、ねじ部の数を増やさず、対応するランプ口金の種類を増やすことができる。また、ランプ口金の径が大きいときはねじ部を用い、小さい径のねじ部を沈み込ませる必要があるが、小さい径のコイルスプリングが軸方向に変形して圧縮することで、ねじ部の沈み込みスペースを確保する必要がなく、小型化が可能である。その他、コイルスプリングの弾性により請求項１と同様の作用効果が得られる。
【００１５】
請求項５記載のソケットは、絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記受金は、径の異なる２種以上のねじ部を有し、径が小さいねじ部ほど内側に配置するとともに、最大径のねじ部より径が小さい各ねじ部は同一軸方向に出没可能である。
【００１６】
このように、受金は、径の異なる２種以上のねじ部を有し、径が小さいねじ部ほど内側に配置するとともに、最大径のねじ部より径が小さい各ねじ部は同一軸方向に出没可能であるので、異なる口金径のランプに対応したソケットを得ることができる。
【００１７】
請求項６記載のソケットは、請求項５記載のソケットにおいて、最大径のねじ部より径が小さい各ねじ部は、弾性体を介して外郭に固定されている。このように、最大径のねじ部より径が小さい各ねじ部は、弾性体を介して外郭に固定されているので、各ねじ部にランプを挿入した際、ランプ口金は内側に配置される弾性体により常にランプ抜去方向の荷重を受け、受金のねじ部に押さえ付けられ、安定した電気接続が可能である。
【００１８】
請求項７記載のソケットは、絶縁物からなる外郭と、この外郭の内部に配置された略筒状のねじ部と中心接触片からなる受金とを有し、ねじ込み式ランプの口金を前記ねじ部および前記中心接触片に接触させて、前記ランプを前記受金に保持、通電するソケットであって、前記受金のねじ部は、前記外郭の開口端部側が最大径であり、前記中心接触片側に向かって径が小さくなる。
【００１９】
このように、受金のねじ部は、外郭の開口端部側が最大径であり、中心接触片側に向かって径が小さくなるので、異なる口金径のランプに対応したソケットを得ることができる。また、滑らかに径を小さくすることができるため、口金寸法の微小な差異に対応した受金を得ることができる。
【００２０】
【発明の実施の形態】
この発明の第１の実施の形態を図１および図２に基づいて説明する。図１はこの発明の第１の実施の形態のソケットの一部破断斜視図、図２は第１の実施の形態のソケットの平面図である。
【００２１】
図１および図２に示すように、このソケットは、絶縁物からなる外郭１と、この外郭１の内部に配置された略筒状のねじ部２と中心接触片３からなる受金４とを有し、ねじ込み式ランプの口金（図示せず）をねじ部２および中心接触片３に接触させて、ランプを受金４に保持、通電する。また、ランプの口金径に応じてねじ部２が弾性変形可能である。
【００２２】
外郭１は筒体であり、内部に支持片１ａが形成されている。受金４のねじ部２は、周方向に少なくとも１箇所不連続とした部分（不連続部５）があり、径方向に弾性変形可能である。また、不連続部５と対向するねじ部２の下端に固定部６が形成されている。この固定部６に設けた穴にビス等の固着具を挿通して外郭１の支持片１ａに固定することができる。また、支持片１ａには受金４の中心接触片３が取り付けられている。
【００２３】
上記のように構成したソケットにランプをねじ込み装着する。この際、図２に示すように、ねじ部２は固定部６を中心にして不連続部５が広がり、矢印Ａのように径方向に弾性変形して径を調節できる。したがって、受金４の部品を追加することなく、ランプ口金寸法の微小な差異（Ｅ２６とＥ２７、Ｅ３９とＥ４０等）に対応することができる。また、ランプ装着状態で、ねじ部２はランプ口金に対し弾性により圧着される。この場合、ねじ部２がそれ自体の弾性によりランプ口金に対して常に径方向の力を加えることができるため、安定した電気接続が可能である。
【００２４】
この発明の第２の実施の形態を図３および図４に基づいて説明する。図３はこの発明の第２の実施の形態のソケットの一部破断斜視図、図４は第２の実施の形態のソケットの断面側面図である。
【００２５】
図３および図４に示すように、第１の実施の形態において、受金４ａのねじ部８は、外郭１に固定された弾性体９によって径方向に力を受けている。
【００２６】
外郭１は第１の実施の形態と同様に筒体であり、内部に支持片１ａが形成されている。受金４ａのねじ部８は、周方向の少なくとも２箇所で分割された複数の分割部８ａからなり、各分割部８ａは弾性体９により径方向に弾性変形可能である。弾性体９は、コイルスプリング等の圧縮ばねからなり、一端が外郭１の内側面、他端がねじ部８の外側面にそれぞれ固着されている。また、外郭１の支持片１ａには受金４ａの中心接触片３が取り付けられている。
【００２７】
上記のように構成したソケットにランプをねじ込み装着する。この際、図３に示すように、弾性体９が圧縮して、ねじ部８の各分割部８ａは、矢印Ｂのように径方向に可動して径を調節できる。したがって、ランプ口金寸法の微小な差異（Ｅ２６とＥ２７、Ｅ３９とＥ４０等）に対応することができる。また、ランプ装着状態で、ねじ部８はランプ口金に対し弾性により圧着される。この場合、ねじ部８が弾性体９の弾性によりランプ口金に対して常に径方向の力を加えることができるため、安定した電気接続が可能である。さらに、弾性体９によりねじ部８の変形量を大きくできるので、異なる口金径（Ｅ１７とＥ２６等）のランプに対応したソケットを得ることができる。
【００２８】
なお、この実施の形態では、ランプをねじ込まないで差し込みによる装着も可能である。
【００２９】
この発明の第３の実施の形態を図５ないし図８に基づいて説明する。図５はこの発明の第３の実施の形態のソケットの一部破断斜視図、図６は第３の実施の形態のソケットの斜視図である。
【００３０】
図５および図６に示すように、このソケットは、絶縁物からなる外郭１と、この外郭１の内部に配置された略筒状のねじ部１１と中心接触片３からなる受金４ｂとを有し、ねじ込み式ランプの口金（図示せず）をねじ部１１および中心接触片３に接触させて、ランプを受金４ｂに保持、通電する。また、受金４ｂは、ねじ部１１の内側に、別のねじ部として機能するコイルスプリング１２を有する。
【００３１】
外郭１は第１の実施の形態と同様に筒体であり、内部に支持片１ａが形成されている。受金４ｂのねじ部１１は、例えばＥ２６のランプ口金に対応するねじ溝が設けてある。コイルスプリング１２は、ピッチの隙間に例えばＥ１７のランプ口金のねじ山が入るようなスプリングとする。ねじ部１１とコイルスプリング１２は、同軸となるように外郭１の支持片１ａに固着されている。支持片１ａには受金４ａの中心接触片３が取り付けられている。
【００３２】
次にこのソケットの作用について説明する。図７および図８はこの発明の第３の実施の形態のソケットにランプを装着する作用説明図である。
【００３３】
上記構成のソケットにランプをねじ込み装着する。すなわち、図７に示すように、Ｅ１７口金ランプ１３を装着する場合、ランプ口金１３ａとコイルスプリング１２とが接触する。このとき、受金４ｂのねじ部１１は機能しない。また、図８に示すように、Ｅ２６口金ランプ１４を装着する場合、ランプ口金１４ａと受金４ｂのねじ部１１とが接触する。このとき、コイルスプリング１２はランプ口金１４ａによって押し縮められる。
【００３４】
このように、ランプ口金１３ａの径が小さいときはコイルスプリング１２を用いることで、ねじ部の数を増やさず、対応するランプ口金の種類を増やすことができる。また、ランプ口金１４ａの径が大きいときは、上記のようにコイルスプリング１２が軸方向に変形して圧縮することで、ねじ部の沈み込みスペースを確保する必要がなく、小型化が可能である。
【００３５】
その他、コイルスプリング１２の弾性により、ランプ口金寸法の微小な差異に対応することができるとともに、コイルスプリング１２に接続されるランプ口金１３ａに対して常に径方向の力を加えることができるため、安定した電気接続が可能である。また、受金４ｂのねじ部１１に接続されるランプ口金１４ａに対してはコイルスプリング１２により軸方向の力を加えて、ねじ部１１に押し付けることができるため、安定した電気接続が可能である。
【００３６】
この発明の第４の実施の形態を図９ないし図１２に基づいて説明する。図９はこの発明の第４の実施の形態のソケットの分解斜視図、図１０は第４の実施の形態のソケットの上から見た斜視図である。
【００３７】
図９および図１０に示すように、このソケットは、絶縁物からなる外郭１５と、この外郭１５の内部に配置された略筒状のねじ部と中心接触片３からなる受金４ｃとを有し、ねじ込み式ランプの口金をねじ部および中心接触片３に接触させて、ランプを受金４ｃに保持、通電する。また、受金４ｃは、径の異なる２種以上のねじ部１６，１７を有し、径が小さいねじ部ほど内側に配置するとともに、最大径のねじ部１７より径が小さい各ねじ部は同一軸方向に出没可能とする。
【００３８】
外郭１５は、第１の実施の形態と同様に筒体で内部に支持片１５ａが形成されているが、支持片１５ａを厚さ方向に大きくして、上面に開口したドーナツ形の収納凹部１５ｂが設けてある。受金４ｃは２種のねじ部１６，１７を有する。一方のねじ部１６は例えばＥ１７のランプ口金に対応するねじ溝が設けてあり、他方のねじ部１７は例えばＥ２６のランプ口金に対応するねじ溝が設けてある。
【００３９】
また、最大径のねじ部１７より径が小さいねじ部１６は、弾性体１８を介して外郭１５に固定されている。この場合、図１１に示すように、２種のねじ部１６，１７は、同軸となるように外郭１５の内部に配置され、最大径となる他方のねじ部１７は支持片１５ａに固着されている。また、一方のねじ部１６は弾性体１８に支持されている。この弾性体１８はコイルスプリング等からなり、外郭１５の収納凹部１５ｂに収納されている。収納凹部１５ｂの中央部の支持片１５ａには受金４ｃの中心接触片３が取り付けられている。
【００４０】
次にこのソケットの作用について説明する。図１１および図１２はこの発明の第４の実施の形態のソケットにランプを装着する作用説明図である。
【００４１】
上記構成のソケットにランプをねじ込み装着する。すなわち、図１１に示すように、Ｅ１７口金ランプ１３を装着する場合、ランプ口金１３ａと一方のねじ部１６とが接触する。このとき、ねじ部１６は弾性体１８にて押し上げられている。他方のねじ部１７は機能しない。また、図１２に示すように、Ｅ２６口金ランプ１４を装着する場合、ランプ口金１４ａと他方のねじ部１７とが接触する。このとき、一方のねじ部１６はランプ口金１４ａによって押され、弾性体１８が収縮して収納凹部１５ｂに沈み込んでいる。
【００４２】
このように、２種以上のねじ部１６，１７を用いることにより、異なる口金径のランプに対応したソケットを得ることができる。また、ねじ部１７にランプ１４を挿入した際、ランプ口金１４ａは内側に配置される弾性体１８により常にランプ抜去方向の荷重を受け、ねじ部１７に押さえ付けられ、安定した電気接続が可能である。
【００４３】
なお、ねじ部は３種以上で構成してもよい。この場合、最大径のねじ部を除いて、各ねじ部に対応する弾性体、収納凹所を設ける。
【００４４】
この発明の第５の実施の形態を図１３に基づいて説明する。図１３はこの発明の第５の実施の形態のソケットの断面図である。
【００４５】
図１３に示すように、このソケットは、絶縁物からなる外郭１と、この外郭１の内部に配置された略筒状のねじ部２０と中心接触片３からなる受金４ｄとを有し、ねじ込み式ランプの口金をねじ部２０および中心接触片３に接触させて、ランプを受金４ｄに保持、通電する。また、受金４ｄのねじ部２０は、外郭１の開口端部側が最大径であり、中心接触片３側に向かって径が小さくなる。
【００４６】
外郭１は第１の実施の形態と同様に筒体であり、内部に支持片１ａが形成されている。受金４ｄのねじ部２０は、例えばＥ１７，Ｅ２６，Ｅ３９のランプ口金に対応するねじ溝２０ａ，２０ｂ，２０ｃが設けてある。この場合、ねじ部２０は、上記３種のランプ口金に対してそれぞれ２山程度接触するように、ねじ溝２０ａ，２０ｂ，２０ｃを段状に形成している。このねじ部２０は、外郭１の支持片１ａに固着されている。支持片１ａには受金４ｄの中心接触片３がスプリング２１により取り付けられている。ランプを装着しない状態で、中心接触片３はスプリング２１により最上段のねじ溝２０ｃ付近に配置される。
【００４７】
次にこのソケットの作用について説明する。上記構成のソケットにランプをねじ込み装着する。すなわち、図１３に示すように、Ｅ１７口金ランプを装着する場合、ランプ口金１３ａとねじ溝２０ａとが接触する。このとき、ランプ口金１３ａが中心接触片３に当接してスプリング２１により弾発付勢されている。他のねじ溝２０ｂ，２０ｃは機能しない。次に、Ｅ２６口金ランプを装着する場合、ランプ口金１４ａとねじ溝２０ｂとが接触する。このとき、ランプ口金１４ａの位置が高くなるため、それに応じて中心接触片３の位置がスプリング２１の弾性により押し上げられる。他のねじ溝２０ａ，２０ｃは機能しない。次に、Ｅ３９口金ランプを装着する場合、ランプ口金２２ａとねじ溝２０ｃとが接触する。このとき、ランプ口金２２ａの位置がさらに高くなるため、それに応じて中心接触片３の位置がスプリング２１の弾性によりさらに押し上げられる。他のねじ溝２０ａ，２０ｂは機能しない。
【００４８】
このように、受金４ｄのねじ部２０は、径を変化させたねじ溝２０ａ，２０ｂ，２０ｃを設けることで、異なる口金径のランプに対応したソケットを得ることができる。また、滑らかに径を小さくすることができるため、口金寸法の微小な差異に対応した受金を得ることができる。また、各種ランプ口金がスプリング２１により弾発付勢されてねじ部２０に押さえ付けられるため、安定した電気接続が可能である。
【００４９】
なお、ねじ部２０は、滑らかに径が変化する形状としてもよい。
【００５０】
【発明の効果】
この発明の請求項１記載のソケットによれば、ランプの口金径に応じてねじ部が弾性変形可能であるので、受金の部品を追加することなく、ランプ口金寸法の微小な差異に対応したソケットを得ることができる。また、ねじ部はランプ口金に対し弾性により圧着されるため、安定した電気接続が可能である。
【００５１】
請求項２では、ねじ部は周方向に少なくとも１箇所不連続であり、径方向に弾性変形可能である。このように、ねじ部は周方向に少なくとも１箇所不連続であり、径方向に弾性変形可能であるので、ねじ部がそれ自体の弾性によりランプ口金に対して常に径方向の力を加えることができ、請求項１の作用効果を容易に得ることができる。
【００５２】
請求項３では、ねじ部は、外郭に固定された弾性体によって径方向に力を受けているので、ねじ部が弾性体の弾性によりランプ口金に対して常に径方向の力を加えることができ、請求項１の作用効果を容易に得ることができる。さらに、弾性体によりねじ部の変形量を大きくできるので、異なる口金径のランプに対応したソケットを得ることができる。
【００５３】
この発明の請求項４記載のソケットによれば、受金は、ねじ部の内側に、別のねじ部として機能するコイルスプリングを有するので、ランプ口金の径が小さいときはコイルスプリングを用いることで、ねじ部の数を増やさず、対応するランプ口金の種類を増やすことができる。また、ランプ口金の径が大きいときはねじ部を用い、小さい径のねじ部を沈み込ませる必要があるが、小さい径のコイルスプリングが軸方向に変形して圧縮することで、ねじ部の沈み込みスペースを確保する必要がなく、小型化が可能である。その他、コイルスプリングの弾性により請求項１と同様の作用効果が得られる。
【００５４】
この発明の請求項５記載のソケットによれば、受金は、径の異なる２種以上のねじ部を有し、径が小さいねじ部ほど内側に配置するとともに、最大径のねじ部より径が小さい各ねじ部は同一軸方向に出没可能であるので、異なる口金径のランプに対応したソケットを得ることができる。
【００５５】
請求項６では、最大径のねじ部より径が小さい各ねじ部は、弾性体を介して外郭に固定されているので、各ねじ部にランプを挿入した際、ランプ口金は内側に配置される弾性体により常にランプ抜去方向の荷重を受け、受金のねじ部に押さえ付けられ、安定した電気接続が可能である。
【００５６】
この発明の請求項７記載のソケットによれば、受金のねじ部は、外郭の開口端部側が最大径であり、中心接触片側に向かって径が小さくなるので、異なる口金径のランプに対応したソケットを得ることができる。また、滑らかに径を小さくすることができるため、口金寸法の微小な差異に対応した受金を得ることができる。
【図面の簡単な説明】
【図１】この発明の第１の実施の形態のソケットの一部破断斜視図である。
【図２】第１の実施の形態のソケットの平面図である。
【図３】この発明の第２の実施の形態のソケットの一部破断斜視図である。
【図４】第２の実施の形態のソケットの断面側面図である。
【図５】この発明の第３の実施の形態のソケットの一部破断斜視図である。
【図６】第３の実施の形態のソケットの斜視図である。
【図７】この発明の第３の実施の形態のソケットにランプを装着する作用説明図である。
【図８】この発明の第３の実施の形態のソケットにランプを装着する作用説明図である。
【図９】この発明の第４の実施の形態のソケットの分解斜視図である。
【図１０】第４の実施の形態のソケットの上から見た斜視図である。
【図１１】この発明の第４の実施の形態のソケットにランプを装着する作用説明図である。
【図１２】この発明の第４の実施の形態のソケットにランプを装着する作用説明図である。
【図１３】この発明の第５の実施の形態のソケットの断面図である。
【符号の説明】
１　外郭
２　ねじ部
３　中心接触片
４，４ａ，４ｂ，４ｃ，４ｄ　受金
５　不連続部
８　ねじ部
９　弾性体
１１　ねじ部
１２　コイルスプリング
１５　外郭
１６，１７　ねじ部
１８　弾性体
２０　ねじ部
【図１】
2004139918.tif 000003
【図２】
2004139918.tif 000004
【図３】
2004139918.tif 000005
【図４】
2004139918.tif 000006
【図５】
2004139918.tif 000007
【図６】
2004139918.tif 000008
【図７】
2004139918.tif 000009
【図８】
2004139918.tif 000010
【図９】
2004139918.tif 000011
【図１０】
2004139918.tif 000012
【図１１】
2004139918.tif 000013
【図１２】
2004139918.tif 000014
【図１３】
2004139918.tif 000015